Podtech/llm-jp-corpus-v4-ja_patent huggingface dataset:
【手続補正書】
【提出日】平成17年6月3日(2005.6.3)
【手続補正１】
【補正対象書類名】明細書
【補正対象項目名】特許請求の範囲
【補正方法】変更
【補正の内容】
【特許請求の範囲】
【請求項１】
(S)-4-ヒドロキシ-2-ケトグルタル酸アルドラーゼ遺伝子を含む組換えDNAを宿主に導入して得られた組換え微生物を、水性媒体中で、アミノ基供与体存在下あるいは非存在下において、糖質とグリオキシル酸に作用させ、該水性媒体中に生成した光学活性な(S)-4-ヒドロキシ-2-ケトグルタル酸または(S)-4-ヒドロキシ-2-ケトグルタル酸を前駆体として得られる化合物を採取することを特徴とする光学活性化合物の製造法。
【請求項２】
(S)-4-ヒドロキシ-2-ケトグルタル酸を前駆体として得られる化合物が、(2S,4S)-4-ヒドロキシ-L-グルタミン酸、(2S,4S)-4-ヒドロキシ-L-プロリン、(S)-4-ヒドロキシ-L-グルタミン、(S)-4-ヒドロキシ-L-アルギニンまたは(S)-4-ヒドロキシ-L-オルニチンである請求項１記載の製造法。
【請求項３】
(S)-4-ヒドロキシ-2-ケトグルタル酸アルドラーゼ遺伝子が、エッシェリヒア(Escherichia)属、シュウドモナス(Pseudomonas)属、パラコッカス(Paracoccus)属、プロビデンシア(Providencia)属、リゾビウム(Rhizobium)属あるいはモルガネラ(Morganella)属に属する微生物由来の遺伝子である、請求項１または２に記載の製造法。
【請求項４】
(S)-4-ヒドロキシ-2-ケトグルタル酸アルドラーゼ遺伝子を含む組換えDNAを宿主に導入して得られた組換え微生物が、エッシェリヒア(Escherichia)属またはコリネバクテリウム(Corynebacterium)属に属する微生物である請求項１または２に記載の製造法。
【請求項５】
(S)-4-ヒドロキシ-2-ケトグルタル酸アルドラーゼ遺伝子を含む組換えDNAを宿主に導入して得られた組換え微生物が、リポ酸要求性、あるいはリンゴ酸シンターゼ活性の低下もしくは欠損の少なくとも一種の形質を有する微生物である請求項１または２に記載の製造法。
【請求項６】
(S)-4-ヒドロキシ-2-ケトグルタル酸アルドラーゼ遺伝子を含む組換えDNAを宿主に導入して得られた組換え微生物が、ホスホエノールピルビン酸カルボキシラーゼ活性を欠損している微生物である請求項１または２に記載の製造法。
【請求項７】
(S)-4-ヒドロキシ-2-ケトグルタル酸アルドラーゼ遺伝子を含む組換えDNAを宿主に導入して得られた組換え微生物が、プロリンアナログに対して耐性を有する微生物である請求項１または２に記載の製造法。
【請求項８】
FERM BP-5919として寄託されている微生物であるEscherichia coli NHK40。
【請求項９】
FERM BP-5920として寄託されている微生物であるEscherichia coli NHK46。
【請求項１０】
FERM BP-5921として寄託されている微生物であるEscherichia coli NHK47。
【請求項１１】
Escherichia coli NHK46/pKSR101 (FERM BP-6382)に含まれるプラスミドpKSR101。
【請求項１２】
アミノ基供与体存在下(S)-4-ヒドロキシ-2-ケトグルタル酸を(2S,4S)-4-ヒドロキシ-L-プロリンに変換する活性を有する生体触媒を、水性媒体中で(S)-4-ヒドロキシ-2-ケトグルタル酸に作用させて、該水性媒体中に生成した(2S,4S)-4- ヒドロキシ-L-プロリンを採取することを特徴とする(2S,4S)-4-ヒドロキシ-L-プロリンの製造法。
【請求項１３】
生体触媒が微生物の培養物、菌体またはそれらの処理物である請求項１２記載の製造法。
【請求項１４】
微生物が、エッシェリヒア(Escherichia)属またはコリネバクテリウム(Corynebacterium)属に属する微生物である請求項１３記載の製造法。
【請求項１５】
微生物が、グルタミン酸要求性の微生物である請求項１３記載の製造法。
【請求項１６】
微生物が、プロリンアナログに対して耐性を有する微生物である請求項１３記載の製造法。
【請求項１７】
FERM BP-5922として寄託されている微生物であるEscherichia coli NHK3/pKSR25+pKSR50。
【請求項１８】
FERM BP-5923として寄託されている微生物であるEscherichia coli NHK23/pKSR25+pKSR50。
【手続補正書】
【提出日】平成16年7月6日(2004.7.6)
【手続補正１】
【補正対象書類名】明細書
【補正対象項目名】００１６
【補正方法】変更
【補正の内容】
【００１６】
さらに、実施例２のターミネーターＤＮＡ配列と同じ長さで、配列の一部を変化させたもの（変異ターミネーターＤＮＡ配列）を連結した鋳型ＤＮＡを使用した実施例３のタンパク合成量は、実施例２の場合と比較して低いが、Ｔ７ターミネーターＤＮＡ配列を連結していない鋳型ＤＮＡを使用した比較例１のタンパク合成量の２．２５倍であることがわかる。
上記結果は、完全長のターミネーターＤＮＡ配列を連結した鋳型ＤＮＡを使用することにより、タンパク合成量が顕著に増大すること、ターミネーターＤＮＡ配列の一部の配列を変化させた変異ターミネーターＤＮＡ配列を使用するとターミネーターＤＮＡ配列を連結することにより奏される効果が減少することを示している。
【手続補正書】
【提出日】平成16年6月10日(2004.6.10)
【手続補正１】
【補正対象書類名】明細書
【補正対象項目名】特許請求の範囲
【補正方法】変更
【補正の内容】
【特許請求の範囲】
【請求項１】
被検体のＸ線画像を得るために当該被検体を乗せるテーブルと、このテーブルを支持する支持フレームと、この支持フレームを起倒動させる起倒動作機構と、この起倒動作機構を収容すると共に、前記支持フレームと連結材で連結された脚部フレームと、を具備したＸ線透視撮影台において、
前記連結材は、前記脚部フレーム内部に設けられ、Ｌ字型の形状を成し、その一端を前記支持フレームに接合され、前記脚部のフレーム内の他端部にて前記起倒動作機構から駆動力を供給される起倒中心軸で回動するように固定されることを特徴とするＸ線透視撮影台。
【手続補正書】
【提出日】平成16年7月16日(2004.7.16)
【手続補正１】
【補正対象書類名】明細書
【補正対象項目名】特許請求の範囲
【補正方法】変更
【補正の内容】
【特許請求の範囲】
【請求項１】
濃淡画像のシェーディングを補正する画像補正方法において、原画像の高信号領域の絵素値から所定の閾値を求めるステップと、前記原画像中、少なくとも前記閾値以上の絵素値を抑制して第２の画像を形成するステップと、前記第２の画像から前記原画像のシェーディング補正情報を取得し、前記原画像を補正するステップとを含むことを特徴とする画像補正方法。
【請求項２】
前記第２の画像に低周波通過フィルタを作用させて第３の画像を形成するステップと、前記第３の画像を用いて前記原画像のシェーディングを補正するステップとを含むことを特徴とする請求項１記載の画像補正方法。
【手続補正２】
【補正対象書類名】明細書
【補正対象項目名】０００７
【補正方法】変更
【補正の内容】
【０００７】
【課題を解決するための手段】
本発明の画像補正方法は、濃淡画像のシェーディングを補正する画像補正方法であって、原画像の高信号領域の絵素値から所定の閾値を求めるステップと、原画像中、少なくとも閾値以上の絵素値を抑制して第２の画像を形成するステップと、第２の画像から原画像のシェーディング補正情報を取得し、原画像を補正するステップとを含むことを特徴とする。
第２の画像から原画像のシェーディング補正情報を取得し、原画像を補正するステップは、例えば、第２の画像に低周波通過フィルタを作用させて第３の画像を形成するステップと、第３の画像を用いて原画像のシェーディングを補正するステップとを含む。
【手続補正書】
【提出日】平成16年4月30日(2004.4.30)
【手続補正１】
【補正対象書類名】明細書
【補正対象項目名】特許請求の範囲
【補正方法】変更
【補正の内容】
【特許請求の範囲】
【請求項１】
被検体に低干渉性の光を照射し、被検体において散乱した光の情報から被検体の断層画像を構築する光イメージング装置用の光走査プローブ装置であって、
内視鏡の鉗子チャンネル内に挿通可能であり先端が開口していない細長く柔軟な筒状のシースであって、少なくともその先端側の側面は光透過性のよい素材で成形されているシースと、
前記シースの内部に長手方向の軸まわりに回転自在に設けられている柔軟なコイルシャフトと、
前記コイルシャフトに回転力を付与する回転駆動装置と、
前記柔軟なコイルシャフトの内部に設けられているシングルモードファイバで形成され、その基端部および先端部はそれぞれ前記コイルシャフトの基端および先端に固定されており、低干渉光源から出射される光がその基端に入射されるように設けられているファイバと、
前記ファイバの先端からある特定の距離をおいて設けられており前記ファイバから出射される光を特定の位置に集光させるためのレンズと、
出射光の光路を変更するために前記レンズに固定されている出射光路変更手段と、
を備えたことを特徴とする光走査プローブ装置。
【請求項２】
被検体に低干渉性の光を照射し、被検体において散乱した光の情報から被検体の断層画像を構築する光イメージング装置用の光走査プローブであって、
内視鏡の鉗子チャンネル内に挿通可能であり先端が開口していない細長く柔軟な筒状のシースであって、少なくともその先端側の側面は光透過性のよい素材で成形されているシースと、
前記シースの内部に長手方向の軸まわりに回転自在に設けられる柔軟なシャフトと、
前記シャフトに回転力を付与する回転駆動装置と、
前記シャフトに並列に設けられているシングルモードファイバで形成され、低干渉光源から出射される光がその基端に入射されるように設けられるファイバと、
前記ファイバの先端側に固定されて設けられており前記ファイバから出射される光を特定の位置に集光させるためのレンズと、
前記シャフトの先端に固定されているミラーであって、シャフトの回転に伴って前記レンズを透過した光の光路を変換する光路変換手段と、
を備えたことを特徴とする光走査プローブ装置。
【請求項３】
被検体に低干渉性の光を照射し、被検体において散乱した光の情報から被検体の断層画像を構築する光イメージング装置用の光走査プローブ装置であって、
内視鏡の鉗子チャンネル内に挿通可能であり先端が開口していない細長く柔軟な筒状のシースであって、少なくともその先端側の側面の光透過性のよい素材で成形されているシースと、
前記シース内部に設けられているシングルモードファイバで形成され、低干渉光源から出射される光がその基端に入射されるように設けられるファイバと、
前記ファイバの先端側に固定されて設けられており前記ファイバから出射される光を特定の位置に集光させるためのレンズと、
前記シースの先端内部に設けられている回転駆動手段と、
前記回転駆動手段に電気を供給する電源および制御手段と、
前記回転駆動手段のロータに固定されている光路変換手段であって、前記回転駆動手段の回転動作に伴って前記レンズを透過した光の光路を変換する光路変換手段と、
を備えたことを特徴とする光走査プローブ装置。
【手続補正２】
【補正対象書類名】明細書
【補正対象項目名】０００８
【補正方法】変更
【補正の内容】
【０００８】
【課題を解決するための手段】
請求項１に記載の発明は、被検体に低干渉性の光を照射し、被検体において散乱した光の情報から被検体の断層画像を構築する光イメージング装置用の光走査プローブ装置であって、
内視鏡の鉗子チャンネル内に挿通可能であり先端が開口していない細長く柔軟な筒状のシースであって、少なくともその先端側の側面は光透過性のよい素材で成形されているシースと、
前記シースの内部に長手方向の軸まわりに回転自在に設けられている柔軟なコイルシャフトと、
前記コイルシャフトに回転力を付与する回転駆動装置と、
前記柔軟なコイルシャフトの内部に設けられているシングルモードファイバで形成され、その基端部および先端部はそれぞれ前記コイルシャフトの基端および先端に固定されており、低干渉光源から出射される光がその基端に入射されるように設けられているファイバと、
前記ファイバの先端からある特定の距離をおいて設けられており前記ファイバから出射される光を特定の位置に集光させるためのレンズと、
出射光の光路を変更するために前記レンズに固定されている出射光路変更手段と、
を設けることにより、出射光路変更手段により走査される方向に沿って２次元的に広がりがある深さ方向の断層像を安定して得られるようにしている。
請求項２に記載の発明は、被検体に低干渉性の光を照射し、被検体において散乱した光の情報から被検体の断層画像を構築する光イメージング装置用の光走査プローブであって、
内視鏡の鉗子チャンネル内に挿通可能であり先端が開口していない細長く柔軟な筒状のシースであって、少なくともその先端側の側面は光透過性のよい素材で成形されているシースと、
前記シースの内部に長手方向の軸まわりに回転自在に設けられる柔軟なシャフトと、
前記シャフトに回転力を付与する回転駆動装置と、
前記シャフトに並列に設けられているシングルモードファイバで形成され、低干渉光源から出射される光がその基端に入射されるように設けられるファイバと、
前記ファイバの先端側に固定されて設けられており前記ファイバから出射される光を特定の位置に集光させるためのレンズと、
前記シャフトの先端に固定されているミラーであって、シャフトの回転に伴って前記レンズを透過した光の光路を変換する光路変換手段と、
を有することを特徴とする。
請求項３に記載の発明は、被検体に低干渉性の光を照射し、被検体において散乱した光の情報から被検体の断層画像を構築する光イメージング装置用の光走査プローブ装置であって、
内視鏡の鉗子チャンネル内に挿通可能であり先端が開口していない細長く柔軟な筒状のシースであって、少なくともその先端側の側面の光透過性のよい素材で成形されているシースと、
前記シース内部に設けられているシングルモードファイバで形成され、低干渉光源から出射される光がその基端に入射されるように設けられるファイバと、
前記ファイバの先端側に固定されて設けられており前記ファイバから出射される光を特定の位置に集光させるためのレンズと、
前記シースの先端内部に設けられている回転駆動手段と、
前記回転駆動手段に電気を供給する電源および制御手段と、
前記回転駆動手段のロータに固定されている光路変換手段であって、前記回転駆動手段の回転動作に伴って前記レンズを透過した光の光路を変換する光路変換手段と、
を有することを特徴とする。
【手続補正書】
【提出日】平成16年7月27日(2004.7.27)
【手続補正１】
【補正対象書類名】明細書
【補正対象項目名】特許請求の範囲
【補正方法】変更
【補正の内容】
【特許請求の範囲】
【請求項１】
観察部位へ観察用照明光を伝達するための光学系を有する簡易型内視鏡において、
内視鏡操作部の外周部に設けられ、前記光学系に観察用照明光を供給する照明用ランプを内蔵したランプユニットと、
内視鏡操作部内に設けられ、前記ランプユニットに内蔵されている照明用ランプの電源部となる充電式電池と、
この充電式電池を充電するための充電装置が着脱自在に接続されるコネクタ部と、
を具備することを特徴とする簡易型内視鏡。
【請求項２】
前記充電式電池を前記内視鏡操作部の基端側に配置したことを特徴とする請求項１に記載の簡易型内視鏡。
【請求項３】
前記コネクタ部を前記内視鏡操作部の基端側に配置したことを特徴とする請求項１または２に記載の簡易型内視鏡。
【手続補正２】
【補正対象書類名】明細書
【補正対象項目名】０００９
【補正方法】変更
【補正の内容】
【０００９】
【課題を解決するための手段】本発明の簡易型内視鏡は、観察部位へ観察用照明光を伝達するための光学系を有する簡易型内視鏡であって、内視鏡操作部の外周部に設けられ、前記光学系に観察用照明光を供給する照明用ランプを内蔵したランプユニットと、内視鏡操作部内に設けられ、前記ランプユニットに内蔵されている照明用ランプの電源部となる充電式電池と、この充電式電池を充電するための充電装置が着脱自在に接続されるコネクタ部とを具備している。また、充電式電池を内視鏡操作部の基端側に配置している。また、コネクタ部を前記内視鏡操作部の基端側に配置している。
【手続補正書】
【提出日】平成16年4月30日(2004.4.30)
【手続補正１】
【補正対象書類名】明細書
【補正対象項目名】特許請求の範囲
【補正方法】変更
【補正の内容】
【特許請求の範囲】
【請求項１】
低干渉光を発生する光源と、
被検体に前記低干渉光を出射すると共に、前記被検体より反射された反射光を検出するための１つのシングルモードファイバからなる導光手段と、
前記シングルモードファイバより出射した前記低干渉光を走査出射する走査出射手段と、
前記シングルモードファイバで検出した前記被検体からの前記反射光と前記光源より生成した基準光とを干渉させて、干渉した干渉光に対応する干渉信号を抽出する干渉光抽出手段と、
前記走査出射手段より出射する前記低干渉光と同方向に超音波を出射及び前記被検体より反射してきた超音波エコーを検出する超音波振動子と、
前記超音波振動子を駆動するための駆動パルスを発生するパルス発生手段と、
前記超音波振動子により検出した前記超音波エコーを受信する受信手段と、
前記干渉信号と前記超音波エコーに対して信号処理を行い、少なくとも前記被検体の深部方向の断層像を構築する信号処理手段と
を備えたことを特徴とする被検体内断層イメージング装置。
【請求項２】
前記走査出射手段及び前記超音波振動子は、前記被検体内に挿通可能な細長な挿入部の先端部に配置されていることを特徴とする請求項１に記載の被検体内断層イメージング装置。
【請求項３】
前記信号処理手段は、前記干渉信号により得られた光断層像と、前記超音波エコーにより得られた前記光断層像より深部側の超音波断層像とを合成して前記断層像に構築することを特徴とする請求項１または請求項２に記載の被検体内断層イメージング装置。
【請求項４】
被検体内に挿通可能な細長な挿入部と、
低干渉光を発生する光源と、
前記挿入部に挿通され、前記挿入部の先端側の端面から前記被検体に前記低干渉光を出射すると共に、前記被検体より反射された反射光を検出するための１つのシングルモードファイバからなる導光手段と、
前記シングルモードファイバより出射した前記低干渉光を走査出射する走査出射手段と、
前記シングルモードファイバで検出した前記被検体からの前記反射光と前記光源より生成した基準光とを干渉させて、干渉した干渉光に対応する干渉信号を抽出する干渉光抽出手段と、
前記干渉信号に対して信号処理を行い、少なくとも前記被検体の深部方向の断層像を構築する信号処理手段と、
前記挿入部の先端部内に、前記走査出射手段より走査される走査面の一部に強力超音波を照射する治療用超音波振動子と、
前記治療用超音波振動子を駆動する駆動手段と、
を備えたことを特徴とする被検体内断層イメージング装置。
【手続補正２】
【補正対象書類名】明細書
【補正対象項目名】００１６
【補正方法】変更
【補正の内容】
【００１６】
【課題を解決するための手段】
請求項１に記載の被検体内断層イメージング装置は、低干渉光を発生する光源と、被検体に前記低干渉光を出射すると共に、前記被検体より反射された反射光を検出するための１つのシングルモードファイバからなる導光手段と、前記シングルモードファイバより出射した前記低干渉光を走査出射する走査出射手段と、前記シングルモードファイバで検出した前記被検体からの前記反射光と前記光源より生成した基準光とを干渉させて、干渉した干渉光に対応する干渉信号を抽出する干渉光抽出手段と、前記走査出射手段より出射する前記低干渉光と同方向に超音波を出射及び前記被検体より反射してきた超音波エコーを検出する超音波振動子と、前記超音波振動子を駆動するための駆動パルスを発生するパルス発生手段と、前記超音波振動子により検出した前記超音波エコーを受信する受信手段と、前記干渉信号と前記超音波エコーに対して信号処理を行い、少なくとも前記被検体の深部方向の断層像を構築する信号処理手段とを備えて構成され、干渉信号により被検体の表面近傍の深度では高分解能で、かつ到達深度における超音波エコーにより奥行きのある断層像を得ることで、適切かつ効果的な被検体断層観察を行うことを可能とする。
請求項４に記載の被検体内断層イメージング装置は、被検体内に挿通可能な細長な挿入部と、低干渉光を発生する光源と、前記挿入部に挿通され、前記挿入部の先端側の端面から前記被検体に前記低干渉光を出射すると共に、前記被検体より反射された反射光を検出するための１つのシングルモードファイバからなる導光手段と、前記シングルモードファイバより出射した前記低干渉光を走査出射する走査出射手段と、前記シングルモードファイバで検出した前記被検体からの前記反射光と前記光源より生成した基準光とを干渉させて、干渉した干渉光に対応する干渉信号を抽出する干渉光抽出手段と、前記干渉信号に対して信号処理を行い、少なくとも前記被検体の深部方向の断層像を構築する信号処理手段と、前記挿入部の先端部内に、前記走査出射手段より走査される走査面の一部に強力超音波を照射する治療用超音波振動子と、前記治療用超音波振動子を駆動する駆動手段と、を備えたことを特徴とする。
【手続補正書】
【提出日】平成16年8月23日(2004.8.23)
【手続補正１】
【補正対象書類名】明細書
【補正対象項目名】特許請求の範囲
【補正方法】変更
【補正の内容】
【特許請求の範囲】
【請求項１】
光源装置から供給される照明光により照明された被検体を観察するための撮像手段と、この撮像手段に被検体像を結像させる対物光学系と、被検体内に挿通可能な挿入部とを有する内視鏡において、
前記被検体に低干渉光を照射し、前記被検体で反射或いは散乱された光より前記被検体の断層像を得る断層像取得手段と、
前記低干渉光を被検体に対して走査させるスキャン手段と、
前記低干渉光を前記対物光学系の観察範囲内に照射する機能を有する結合手段と、
前記撮像手段で観察できる被写界深度の範囲を調整する被写界深度調整手段と、
を備えたことを特徴とする内視鏡。
【請求項２】
前記被写界深度調整手段は、ズームレンズと、前記ズームレンズを駆動するアクチュエータであることを特徴とする請求項１に記載の内視鏡。
【請求項３】
前記被写界深度調整手段は、前記ズームレンズの倍率情報或いは移動情報により指示された走査範囲及び走査方向に対応して前記スキャン手段を駆動するスキャン制御手段を有することを特徴とする請求項２に記載の内視鏡。
【請求項４】
前記結合手段は、前記低干渉光が前記対物光学系の少なくとも一部を通過するように配置されたハーフミラーであることを特徴とする請求項１から３のいずれかに記載の内視鏡。
【請求項５】
光源装置から供給される照明光により照明された被検体を観察するための撮像手段と、この撮像手段に被検体像を結像させる対物光学系と、被検体内に挿通可能な挿入部とを有する内視鏡において、
前記被検体に低干渉光を照射し、前記被検体で反射或いは散乱された光より前記被検体の断層像を得る断層像取得手段と、
前記低干渉光を被検体に対して走査させるスキャン手段と、
前記低干渉光を前記対物光学系の観察範囲内に照射する機能を有する結合手段と、
を備え、前記低干渉光により画像化できる深部側の範囲と、前記固体撮像素子で観察できる被写界深度の範囲とが略一致するように設定されることを特徴とする内視鏡。
【手続補正２】
【補正対象書類名】明細書
【補正対象項目名】０００９
【補正方法】変更
【補正の内容】
【０００９】
【課題を解決するための手段】
本発明は、光源装置から供給される照明光により照明された被検体を観察するための撮像手段と、この撮像手段に被検体像を結像させる対物光学系と、被検体内に挿通可能な挿入部とを有する内視鏡において、前記被検体に低干渉光を照射し、前記被検体で反射或いは散乱された光より前記被検体の断層像を得る断層像取得手段と、前記低干渉光を被検体に対して走査させるスキャン手段と、前記低干渉光を前記対物光学系の観察範囲内に照射する機能を有する結合手段と、前記撮像手段で観察できる被写界深度の範囲を調整する被写界深度調整手段と、を備えたことを特徴とする内視鏡を提供する。この構成によれば、被写界深度調整手段により、被検体との距離が変化する方向に内視鏡の先端を移動した場合に、内視鏡像がぼけるのを防止して、内視鏡像と断層像の両画像が鮮明に得られる状態を保持することが可能になる。
また、本発明は、光源装置から供給される照明光により照明された被検体を観察するための撮像手段と、この撮像手段に被検体像を結像させる対物光学系と、被検体内に挿通可能な挿入部とを有する内視鏡において、前記被検体に低干渉光を照射し、前記被検体で反射或いは散乱された光より前記被検体の断層像を得る断層像取得手段と、前記低干渉光を被検体に対して走査させるスキャン手段と、前記低干渉光を前記対物光学系の観察範囲内に照射する機能を有する結合手段と、を備え、前記低干渉光により画像化できる深部側の範囲と、前記固体撮像素子で観察できる被写界深度の範囲とが略一致するように設定されることを特徴とする内視鏡を提供する。この構成によれば、内視鏡像が鮮明に表示されると共に、フォーカス状態に近い状態で断層像も得ることが可能になる。
【手続補正３】
【補正対象書類名】明細書
【補正対象項目名】００２４
【補正方法】変更
【補正の内容】
【００２４】
スキャンニング機構３５を形成する第１のスキャンニングミラー３８は図１の矢印ｂで示すように図１の紙面内で反射角を変更し、第２のスキャンニングミラー３９は図１の矢印ｃで示すように回動することにより低干渉光をスキャンするようにしている。このスキャンニング機構３５も例えば制御回路３４によりその駆動が制御される。
なお、スキャンニング機構３５によるスキャン方向は、図示しない走査指示スイッチなどにより、制御回路３４を介して選択設定できるようにしている。
また、ＣＣＵ２１に接続されたマウス４９によって内視鏡像上からカーソル４７により制御回路３４を介して走査方向及び走査範囲を選択設定したりできるようにしている。図１では走査方向及び走査範囲の一端を選択設定した状態を示している。
【手続補正書】
【提出日】平成16年7月13日(2004.7.13)
【手続補正１】
【補正対象書類名】明細書
【補正対象項目名】請求項４
【補正方法】変更
【補正の内容】
【請求項４】
急速冷凍後、真空包装することを特徴とする請求項３記載のいかの加工食材の製造方法。
【手続補正書】
【提出日】平成16年8月10日(2004.8.10)
【手続補正１】
【補正対象書類名】明細書
【補正対象項目名】特許請求の範囲
【補正方法】変更
【補正の内容】
【特許請求の範囲】
【請求項１】
農産物を収穫する収穫機の、収穫されて調製された農産物が排出される位置に設けられる結束装置であって、
上記結束装置は、収穫機から排出される農産物を一定方向で受ける台板と、この台板に立設され、農産物の株側と対向する板と、上記台板の左右両側部に立設され、結束紐配置間隔を有する前後複数の側板と、該結束紐配置間隔に上記台板を横断するようにして配設される多数の結束紐とを備えたことを特徴とする収穫機の結束装置。
【請求項２】
上記結束紐は、結束紐配置間隔内に設けられた結束紐保持具に保持された状態で上下に多数個重設可能であり、該結束紐保持具から結束紐を上方に向け１個ずつ取出して農産物を結束するようにしたことを特徴とする請求項１記載の収穫機の結束装置。
【請求項３】
上記結束紐保持具を、結束紐配置間隔内において前後方向に移動可能とし、結束紐による農産物の結束位置を調節可能にしたことを特徴とする請求項１又は２記載の収穫機の結束装置。
【請求項４】
上記台板の結束紐が横断する位置に、結束紐が入り込む穴を形成したことを特徴とする請求項１，２又は３記載の収穫機の結束装置。
【請求項５】
上記結束装置は、所定方向を向いて横姿勢で排出される農産物に対し、側方に所定角度傾斜して設置されることを特徴とする請求項１，２，３又は４記載の収穫機の結束装置。
【手続補正２】
【補正対象書類名】明細書
【補正対象項目名】０００６
【補正方法】変更
【補正の内容】
【０００６】
Ａ．農産物を収穫する収穫機の、収穫されて調製された農産物が排出される位置に設けられる結束装置であって、
上記結束装置は、収穫機から排出される農産物を一定方向で受ける台板と、この台板に立設され、農産物の株側と対向する板と、上記台板の左右両側部に立設され、結束紐配置間隔を有する前後複数の側板と、該結束紐配置間隔に上記台板を横断するようにして配設される多数の結束紐とを備えた。
【手続補正３】
【補正対象書類名】明細書
【補正対象項目名】００１２
【補正方法】変更
【補正の内容】
【００１２】
（１）．結束装置は、収穫機から排出される農産物を一定方向で受ける台板と、この台板に立設され、農産物の株側と対向する板と、上記台板の左右両側部に立設され、結束紐配置間隔を有する前後複数の側板と、該結束紐配置間隔に上記台板を横断するようにして配設される多数の結束紐とを備えることで、収穫機から排出される農産物は、結束紐により適量ずつ連続的に結束されて機外に搬出される。
【手続補正４】
【補正対象書類名】明細書
【補正対象項目名】００２５
【補正方法】変更
【補正の内容】
【００２５】
（１）．結束装置は、収穫機から排出される農産物を一定方向で受ける台板と、この台板に立設され、農産物の株側と対向する板と、上記台板の左右両側部に立設され、結束紐配置間隔を有する前後複数の側板と、該結束紐配置間隔に上記台板を横断するようにして配設される多数の結束紐とを備えているので、収穫機から調製されて排出される農産物は、適量ずつまとめて結束紐により連続的に結束することができる。そして、農産物を結束した状態で機外に搬出することができる。
【手続補正５】
【補正対象書類名】明細書
【補正対象項目名】符号の説明
【補正方法】変更
【補正の内容】
【符号の説明】
１  ねぎ類収穫機
２  排出部
３  結束装置
４  台板  ４ａ  結束紐が入る穴
５  前板（板）
６  結束紐配置間隔
７  側板
８，１２  結束紐  ８ａ，１２ａ  保持金具  ８ｂ，１
２ｂ  結束代
９，１０，１１  結束紐保持具
Ａ  調製されたねぎ類
θ  結束装置の傾斜角度
【手続補正書】
【提出日】平成17年4月8日(2005.4.8)
【手続補正１】
【補正対象書類名】明細書
【補正対象項目名】特許請求の範囲
【補正方法】変更
【補正の内容】
【特許請求の範囲】
【請求項１】
（ｉ）開いた口を有するジャーと、
（ｉｉ）開いた口に嵌合し、その下面に中空ソケットを含むキャップと、
（ｉｉｉ）ジャー中で垂直方向に動くことができ、プラットフォーム、およびプラットフォームの上面から突出したロッドを含むピストンであって、該ロッドはプラットフォームから離れた該ロッドの端部にヘッドを有し、該ピストンはアプリケータパッドのスタックを受容し支持することができ、ヘッドが中空ソケットに解放可能に係合することができるピストンとを含むアプリケータパッド分配容器。
【請求項２】
ジャーを形成する内壁が開いた口に向かって内側に先細になる請求項１に記載の容器。
【請求項３】
ジャーの内壁がブロー成形方法によって先細にされる請求項２に記載の容器。
【請求項４】
ジャーが高密度ポリエチレンから形成される請求項１から３のいずれか一項に記載の容器。
【請求項５】
開いた口に隣接するジャーを形成する壁が内側に突出する棚を円周方向に形成する請求項１から４のいずれか一項に記載の容器。
【請求項６】
プラットフォームが、プラットフォームの直径に沿って可撓性の弾性的な外部スカートを含む請求項１から５のいずれか一項に記載の容器。
【請求項７】
外部スカートが、それぞれスロットによって分割された複数の間隔を有する請求項６に記載の容器。
【請求項８】
外部スカートに三つのスロットが形成される請求項７に記載の容器。
【請求項９】
プラットフォームが、多数の開口を有するベースプレートを含む請求項１から８のいずれか一項に記載の容器。
【請求項１０】
プラットフォームが、その中央に、ロッドの別の端部を受容し、かつ固定するくぼみを含む請求項１から９のいずれか一項に記載の容器。
【請求項１１】
ロッドの別の端部が、チャネルによって縦方向に分割された二つの脚を有し、かつ外側に突出するウェッジが各脚上に形成される請求項１０に記載の容器。
【請求項１２】
下端のところの壁に、それぞれ二つの脚の一方を保持可能に受容するように構成された一対のアンダカットが形成される請求項１１に記載の容器。
【請求項１３】
キャップの中空ソケットが、弾性的な可撓性の壁から形成される請求項１から１２のいずれか一項に記載の容器。
【請求項１４】
中空ソケットは壁の開いた端部に、内側に突出する棚が取り付けられる請求項１３に記載の容器。
【請求項１５】
ロッドのヘッドが、丸いボール、楕円形ボール、または角錐形ウェッジである形状を有する請求項１から１４のいずれか一項に記載の容器。
【請求項１６】
（ａ）それぞれ中央開口を有する複数のアプリケータパッドと、
（ｂ）（ｉ）開いた口を有するジャー、
（ｉｉ）開いた口に嵌合し、その下面に中空ソケットを含むキャップ、
（ｉｉｉ）ジャー中で垂直方向に動くことができ、プラットフォーム、およびプラットフォームの上面から突出するロッドを含むピストンであって、該ロッドはプラットフォームから離れた該ロッドの端部にヘッドを有し、該ピストンはアプリケータパッドのスタックを受容し、かつそれを支持することができ、ヘッドが中空ソケットに解放可能に係合することができるピストンを含む分配容器とを含むアプリケータパッド分配システム。
【手続補正書】
【提出日】平成17年8月2日(2005.8.2)
【手続補正１】
【補正対象書類名】明細書
【補正対象項目名】００７８
【補正方法】変更
【補正の内容】
【００７８】
・例えば、図１１に示す別例のハンドルユニット１１のようにしてもよい。この別例では、ハンドルユニット１１の内壁面における複数個所（図１１では３箇所）にゴム棒支持部５８ａ，５８ｂ，５８ｃが突設されている。３つのゴム棒支持部５８ａ，５８ｂ，５８ｃは、同じ形状を呈しており、いずれもゴム棒５７を片持ち支持することができる。ただし、３つのゴム棒支持部５８ａ，５８ｂ，５８ｃは、モータ４１の回転軸４２からの離間距離がそれぞれ異なっている。よってこの構成によれば、３つのゴム棒支持部５８ａ，５８ｂ，５８ｃのうちのいずれかを選択して、そこにゴム棒５７を片持ち支持させることが可能である。このようにゴム棒５７の位置変更が可能であると、好みに応じて振動の態様（例えば振動の強さや周期など）を設定することができる。
【手続補正書】
【提出日】平成17年9月14日(2005.9.14)
【手続補正１】
【補正対象書類名】明細書
【補正対象項目名】００１６
【補正方法】変更
【補正の内容】
【００１６】
また、この場合には、二次側直流出力電圧Ｅoに対して、図示するようにして、ＭＯＳ−ＦＥＴのスイッチング素子Ｑ3、整流ダイオードＤ3、チョークコイルＬ10、平滑コンデンサＣo3から成る降圧形コンバータが接続されている。
この降圧形コンバータは、二次側直流出力電圧Ｅoを入力してスイッチング素子Ｑ3によりスイッチングを行って得られる交番電圧を、整流ダイオードＤ3及びチョークコイルＬ10により半波整流して、平滑コンデンサＣo3に充電することで、二次側直流出力電圧Ｅoから降圧された二次側直流出力電圧Ｅo2を生成する。
【手続補正２】
【補正対象書類名】明細書
【補正対象項目名】００２０
【補正方法】変更
【補正の内容】
【００２０】
【特許文献１】特開２００２−０６４９８１号公報
【手続補正３】
【補正対象書類名】明細書
【補正対象項目名】００３０
【補正方法】変更
【補正の内容】
【００３０】
上記期間ｔ２〜ｔ３におけるリセット量（リセット電流レベル）によって、可飽和インダクタＳＲ１が不飽和状態となる期間ｔ0〜ｔ1の時間長が決定される。
そこで、軽負荷の傾向となるのに応じて二次側直流出力電圧Ｅo1のレベルが上昇するのに対応して、リセット量を増加させるようにする。これにより、図１７に示すようにして、残留磁束密度Ｂ0は、Ｂ0Aとなるから、不飽和状態の期間である期間ｔ0〜ｔ1も、図１８に示すようにして、期間ｔ0A〜ｔ1Aとなるように長くすることができる。このようにして、不飽和状態の期間が長くなれば、整流電流ＩD1が流れないとされる期間も長くなるから、単位時間あたりの負荷への電力供給時間も短縮されて、二次側直流出力電圧Ｅo1のレベルもその分低下することになる。
そして、このような動作は、図１８に示す波形が１８０°の位相差を有するタイミングで以て、可飽和インダクタＳＲ2側においても行われることになる。
このようにして、図１５に示す回路では、両波整流によって得られる二次側直流出力電圧Ｅo1の安定化を図るようにされる。
【手続補正４】
【補正対象書類名】明細書
【補正対象項目名】００６５
【補正方法】変更
【補正の内容】
【００６５】
ここで、二次側直流出力電圧Ｅo2の基となる交番電圧が発生する二次巻線Ｎ2のインダクタンスをL2とし、二次巻線Ｎ2と直交型制御トランスＰＲＴ−２の被制御巻線ＮR2との接続点と、二次側アース間の電位をＶ2とした場合、二次側直流出力電圧Ｅo2のための整流回路系を形成する整流ダイオードＤo6のアノードと二次側アース間の電位Ｖ3は、次のように表される。
Ｖ3＝Ｖ2×（Ｌ2／（Ｌ2＋ＬR））＝Ｖ2／（１＋（ＬR／Ｌ2））・・・（式１）
上記式１からも分かるように、インダクタンスＬRを可変することによって、Ｖ3のレベルが変化することが分かる。そして、Ｖ3のレベルが変化するということは、二次側直流出力電圧Ｅo2のレベルもこれに応じて変化することとなる。従って、上記のようにして、二次側直流出力電圧Ｅo2のレベル誤差に応じて被制御巻線ＮRのインダクタンスＬRを可変することによっては、二次側直流出力電圧Ｅo2のレベルが安定化されるように制御されるものである。
【手続補正５】
【補正対象書類名】図面
【補正対象項目名】図１４
【補正方法】変更
【補正の内容】
【図１４】
2004215376.tif 000001
【手続補正書】
【提出日】平成16年12月13日(2004.12.13)
【手続補正１】
【補正対象書類名】明細書
【補正対象項目名】特許請求の範囲
【補正方法】変更
【補正の内容】
【特許請求の範囲】
【請求項１】
ノッチアンテナを具備する無線装置において、
前記ノッチアンテナは、
グランド部、及び一端が開放された切り欠き部を備えた回路基板と、
前記回路基板上に設けられ、前記切り欠き部に高周波電流を給電する無線回路部と、
前記回路基板の前記一端側において、前記グランド部と接続され且つ前記切り欠き部を延長するように形成された導電性の折返し部とを有する
ことを特徴とする無線装置。
【請求項２】
請求項１記載の無線装置であって、
前記折返し部は、前記回路基板の一部を一体的に折り曲げて形成されることを特徴とする無線装置。
【請求項３】
請求項１記載の無線装置であって、
前記回路基板は一層をフレキシブルプリントケーブルとする多層構造を有し、
前記折返し部は、前記フレキシブルプリントケーブルを折り曲げて形成されていることを特徴とする無線装置。
【請求項４】
請求項１記載の無線装置であって、
前記折返し部は、金属板を折り曲げて形成されていることを特徴とする無線装置。
【請求項５】
請求項４記載の無線装置であって、
前記折返し部は、当該無線装置を内部に収納させる筐体と前記回路基板とを固定するネジにより、前記回路基板に固定されていることを特徴とする無線装置。
【請求項６】
請求項１記載の無線装置であって、
前記折返し部は、
前記回路基板に対して略々垂直に立ち上がる垂直部と、
前記垂直部の先端より前記切り欠き部の切り欠き方向と略々直交する方向に延在して当該切り欠き部を横切るように形成され、前記回路基板と略々平行な平行部と、からなることを特徴とする無線装置。
【請求項７】
請求項１記載の無線装置であって、
前記回路基板は、二つの切り欠き部を備え、
前記折返し部は、前記切り欠き部の各々に対応して設けられていることを特徴とする無線装置。
【請求項８】
請求項７記載の無線装置であって、
前記切り欠き部の両方が前記回路基板の前記一端側に設けられていることを特徴とする無線装置。
【請求項９】
請求項１記載の無線装置であって、
前記折返し部は、前記回路基板における前記無線回路部が設けられた側に折り返されていることを特徴とする無線装置。
【請求項１０】
携帯電話機において、
筐体と、
前記筐体に内蔵され、グランド部及び切り欠き部を備えた回路基板と、
前記回路基板上に設けられ、前記切り欠き部に高周波電流を給電する無線回路部と、
前記回路基板の一端側において、前記グランド部と接続され且つ前記切り欠き部を延長するように形成された導電性の折返し部と、を具備する
ことを特徴とする携帯電話機。
【請求項１１】
請求項１０記載の携帯電話機であって、
前記折返し部は、当該携帯電話機を手に持ったときに、その手と反対側に折り返されるように形成されていることを特徴とする携帯電話機。
【手続補正２】
【補正対象書類名】明細書
【補正対象項目名】０００１
【補正方法】変更
【補正の内容】
【０００１】
【発明の属する技術分野】
本発明は、無線装置と携帯電話機に関し、詳細には小型化が図れると共にアンテナ効率及び利得の向上が図れる無線装置と携帯電話機に関する。
【手続補正３】
【補正対象書類名】明細書
【補正対象項目名】００１０
【補正方法】変更
【補正の内容】
【００１０】
そこで、本発明は、このような課題に鑑みてなされたものであり、小型化を図ることができると共に、アンテナ効率及び利得の向上が図れる無線装置と携帯電話機を提供することを目的とする。
【手続補正４】
【補正対象書類名】明細書
【補正対象項目名】００１１
【補正方法】変更
【補正の内容】
【００１１】
【課題を解決するための手段】
本発明の無線装置は、ノッチアンテナを具備する無線装置であり、ノッチアンテナは、グランド部、及び一端が開放された切り欠き部を備えた回路基板と、回路基板上に設けられ、切り欠き部に高周波電流を給電する無線回路部と、回路基板の一端側において、グランド部と接続され且つ切り欠き部を延長するように形成された導電性の折返し部とを有することにより、上述した課題を解決する。
また、本発明の携帯電話機は、筐体と、その筐体に内蔵され、グランド部及び切り欠き部を備えた回路基板と、回路基板上に設けられ、切り欠き部に高周波電流を給電する無線回路部と、回路基板の一端側において、グランド部と接続され且つ切り欠き部を延長するように形成された導電性の折返し部とを具備することにより、上述した課題を解決する。
【手続補正５】
【補正対象書類名】明細書
【補正対象項目名】００１２
【補正方法】変更
【補正の内容】
【００１２】
本発明の無線装置、携帯電話機によれば、切り欠き部を延長する導電性の折返し部を形成すると、ノッチアンテナとして機能する切り欠き部の物理的な長さが短くなると共に電気的に切り欠き部の長さも短くなる。電気的に切り欠き部の長さが短くなるというのは、折返し部を形成することによって、この折返し部の先端と回路基板との間にコンデンサ（容量）があたかも介在されたのと同じ効果が生じるため、切り欠き部の実質的な長さが短くなる。これにより、無線装置自体、携帯電話機自体を小型化でき、アンテナ効率も向上する。
【手続補正６】
【補正対象書類名】明細書
【補正対象項目名】００４３
【補正方法】変更
【補正の内容】
【００４３】
【発明の効果】
本発明によれば、ノッチアンテナの開放端部を折り返すことにより、アンテナを小型化することができると共にアンテナ効率を向上させ、さらに人体の手などによる利得の劣化を低減することのできる無線装置、携帯電話機を提供することができる。
【手続補正書】
【提出日】平成17年10月28日(2005.10.28)
【手続補正１】
【補正対象書類名】明細書
【補正対象項目名】特許請求の範囲
【補正方法】変更
【補正の内容】
【特許請求の範囲】
【請求項１】矩形本体（Ｉ）とその本体の頭部側縁に沿って並置される枕部（II）とから構成され、人体が仰臥したときにマットの本体から踵部が外れて突き出るような全長を有する発泡樹脂製寝具マットにおいて、
枕部（II）の上に頭部が位置しかつ矩形本体（Ｉ）の縦中心線上に仰臥姿勢で横たわった場合の人体の頚椎部分に相当するマット本体の頭側縁部分に本体と比較して軟らかいウレタンのブロック（６）を置換植え込み、接合し、
また該ブロック（６）の左右に位置し該仰臥姿勢の人体の肩上から二の腕部が当接する左右のマット頭側縁部分に本体と比較して軟らかいウレタンのブロック（７，７）を植え込み、接合してなり、
かくして仰臥姿勢のとき人体の肩上から二の腕部は上記硬度格差に拘わらず本体の平面とほぼ同じ平面上に保たれるが、左向きまたは右向きの横臥姿勢のときの人体の肩上から二の腕部はブロック（６）およびブロック（７）間の硬度格差によって本体の平面より沈み込んだ位置となりそれにより当該部分の体圧を低減でき、かつ楽な横臥姿勢をとり得るようにしたことを特徴とする請求項１の発泡樹脂製寝具マット。
【請求項２】マット本体の縦方向において枕部（II）、胸部（III）、臀部（IV）、足部（Ｖ）の長さが段階的に異なるものを２つ以上、組合せ準備し、各使用者の身長に合わせ使用者に適合した全長に調節して使用に供され、それぞれをマジックテープ（登録商標）又は紐等で連結し外皮に内蔵し、連結した請求項１に記載の発泡樹脂製寝具マット。
【請求項３】発泡樹脂製の寝具マットにおいて、人体の褥瘡既発生部分または発生予想部分に該当する位置の近傍に、少なくとも1つのスリット、または小幅もしくは小径開口溝をマットの表面から厚み方向に設けて、該位置及びその近傍における上方方向から過重に対するマットの変形が同一マットの他部分の変形よりも相対的に容易に生じるようにし、かくして当該スリットまたは溝設置部分の上に当接する人体部分を柔軟に受容できるようにしたことを特徴とする、褥瘡防止効果のある請求項１または２に記載の発泡樹脂マット。
【請求項４】マット平面において、適度な大きさの十字形、＊形、C字形、E字形、H字形、I字形、X字形、T字形、U字形、V字形、Y字形もしくは波形であるスリット；円形、半円形、楕円形、半楕円形、ハート形、三角形、四角形、その他の多角形もしくはこれからの幾何形状の組み合わせた形の小幅もしくは小径の開口溝；あるいはこれらのスリット及び／または溝の2以上の組み合わせ；をもうけた請求項３に記載の発泡樹脂製寝具マット。
【請求項５】溝が底を有し、その底縁部が直角ではなく丸みを帯びている請求項４に記載の発泡樹脂製寝具マット。
【請求項６】褥瘡発生部分として、臀部の仙骨及び尾骨を想定し、該スリット及び／または溝を設けた請求項３〜５のいずれか１項に記載の発泡樹脂製寝具マット。
【請求項７】仰臥人体の背部の胸椎５〜8番に相当する部分付近及び／または挫骨に相当する部分付近、においてもさらにスリット及び／または溝を設けた請求項３〜６のいずれか１項に記載の発泡樹脂製寝具マット。
【請求項８】該スリットの下端部がマットの裏面にまで達しないで終わっている請求項３〜７のいずれか１項に記載の発泡樹脂製寝具マット。
【請求項９】人体が仰臥したときにマットの下端部側から踵部が外れて突き出るような全長を有する請求項３〜８のいずれか１項に記載の発泡樹脂製寝具マット。
【請求項１０】請求項３〜９のいずれか１項に記載の発泡樹脂製寝具マットを樹脂原料を発泡させて製造する方法であって、発泡成形に際して発泡型と共に所望のスリット及び／または溝に対する寸法の中子を所要位置に所要数配置使用し、発泡工程終了後に発泡製品から中子を除去する工程を含む上記方法。
【請求項１１】請求項３〜９のいずれか１項に記載の発泡樹脂製寝具マットを発泡樹脂製ブロックから製造する方法であって、所要寸法の発泡成形マット部材を準備し、その所要位置に刃物工具を用いて所用のスリットの切り込み及び／または溝の切出しを行なう工程を含む上記方法。
【請求項１２】マットの使用中にスリットの先端縁部に沿って起こり得る亀裂伝播の防止のためのスリット先端部において接着剤接合処理または融着接合処理を行なう工程を更に含む請求項１０に記載の方法。
【請求項１３】請求項１に記載の頚椎部分に相当する頭側縁部分のブロック（6）並びに両肩当接部ブロック（7，7）以外の褥瘡発生部分に当接する位置近傍のマット本体部分に、少なくも1つのスリットまたは小幅もしくは小径溝をマットの表面から厚み方向に設けて、該位置及びその近傍における上方向の過重に対するマットの変形が同一マットの他部分の変形よりも相対的に容易に生じるようにし、かくして当該スリットまたは溝設置部分の上に当接する人体部分を柔和に受容できるようにしたことを特徴とする、発泡樹脂製寝具マット。
【請求項１４】褥瘡発生部分として、臀部の仙骨及び尾骨を想定し、該スリット及び／または溝を設けた請求項１３に記載の発泡樹脂製寝具マット。
【請求項１５】仰臥人体の背部の胸椎5〜8番に相当する部分付近及び／または挫骨に相当する部分付近、においてもさらにスリット及び／または溝を設けた請求項１３または１４に記載の発泡樹脂製寝具マット。
【手続補正書】
【提出日】平成16年6月3日(2004.6.3)
【手続補正１】
【補正対象書類名】明細書
【補正対象項目名】発明の名称
【補正方法】変更
【補正の内容】
【発明の名称】ＤＣモータ制御装置
【手続補正２】
【補正対象書類名】明細書
【補正対象項目名】特許請求の範囲
【補正方法】変更
【補正の内容】
【特許請求の範囲】
【請求項１】
外部のＤＣモータを駆動するためのＤＣモータ駆動回路と、
前記ＤＣモータ駆動回路に信号を出力する駆動信号処理回路と、
電流検出用抵抗を有する電流検出回路と、
前記電流検出回路から出力される電流値の補正係数を記憶した記憶装置と、
前記補正係数に基づいて、前記電流検出回路の出力誤差を補正する演算処理装置とを有するＤＣモータ制御装置。
【請求項２】
請求項１記載のＤＣモータ制御装置において、
前記電流検出回路から出力される前記電流値は、Ａ／Ｄ変換されて前記記憶装置に記憶されることを特徴とするＤＣモータ制御装置。
【請求項３】
外部のＤＣモータを駆動するためのＤＣモータ駆動回路と、
前記ＤＣモータ駆動回路に信号を出力する駆動信号処理回路と、
電流検出用抵抗を有する電流検出回路と、
書込み可能な記憶装置を内蔵した演算処理装置とを有し、
前記演算処理装置は、前記電流検出回路から出力された実際の第１電流値と該電流検出回路から出力されるべき理論値とを比較することにより求められた比率を予め記憶しており、該比率から実際の第２電流値を補正することを特徴とするＤＣモータ制御装置。
【請求項４】
請求項３記載のＤＣモータ制御装置において、
前記補正された電流値を用いて外部のモータを制御することを特徴とするＤＣモータ制御装置。
【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】
ファインダ窓の内側に設けられ、前記ファインダ窓を介して視認することの可能な電子画像を表示する画像表示手段と、
前記画像表示手段における画像の縮小率を設定する縮小率設定手段と、
前記縮小率に基づいて前記画像表示手段における表示倍率を制御する制御手段と、
を備える撮像装置。
【請求項２】
請求項１に記載の撮像装置において、
前記ファインダ窓を視認するユーザと前記ファインダ窓との距離を測定する測距手段をさらに備え、
前記縮小率設定手段は、前記測距手段において測定される距離に応じて前記縮小率を決定することを特徴とする撮像装置。
【請求項３】
ファインダ窓の内側に設けられ、前記ファインダ窓を介して視認することの可能な電子画像を表示する画像表示手段と、
前記ファインダ窓を覗くユーザの視線方向を検出する視線方向検出手段と、
前記視線方向に基づいてユーザが視認している部分画像を抽出し、当該部分画像を前記画像表示手段の画面内においてトリミング表示させる制御手段と、
を備える撮像装置。
【請求項４】
請求項３に記載の撮像装置において、
前記制御手段は、前記画像表示手段において画面周縁部に位置する部分画像を画面中央部にトリミング表示させることを特徴とする撮像装置。
【請求項５】
請求項３又は４に記載の撮像装置において、
前記ファインダ窓を視認するユーザと前記ファインダ窓との距離を測定する測距手段と、
前記測距手段において測定される距離に応じて、前記画像表示手段における画像の縮小率を決定する縮小率設定手段と、
をさらに備え、
前記制御手段は、さらに、前記縮小率に基づいて前記画像表示手段における表示倍率を制御することを特徴とする撮像装置。
【請求項６】
請求項２又は５に記載の撮像装置において、
前記縮小率設定手段は、前記測距手段において測定される距離が長くなるに従って前記縮小率が漸次大きくなるように決定することを特徴とする撮像装置。
【手続補正２】
【補正対象書類名】明細書
【補正対象項目名】００１１
【補正方法】変更
【補正の内容】
【００１１】
請求項５に記載の発明は、請求項３又は４に記載の撮像装置において、前記ファインダ窓を視認するユーザと前記ファインダ窓との距離を測定する測距手段と、前記測距手段において測定される距離に応じて、前記画像表示手段における画像の縮小率を決定する縮小率設定手段と、をさらに備え、前記制御手段が、さらに、前記縮小率に基づいて前記画像表示手段における表示倍率を制御することを特徴としている。
請求項６に記載の発明は、請求項２又は５に記載の撮像装置において、前記縮小率設定手段は、前記測距手段において測定される距離が長くなるに従って前記縮小率が漸次大きくなるように決定することを特徴としている。
【手続補正３】
【補正対象書類名】明細書
【補正対象項目名】００６７
【補正方法】変更
【補正の内容】
【００６７】
請求項５に記載の発明によれば、さらに、測距手段によってファインダ窓を視認するユーザとファインダ窓との距離を測定し、その距離に応じて決定される縮小率が適用された表示画像が表示され、また、請求項６に記載の発明によれば、距離が長くなるに従って縮小率が漸次大きくなるように（表示倍率が小さくなるように）決定するため、ユーザが離れていても表示画像の視認性が低下することを防止でき、画像の良好な視認状態を実現することができる。